(57)【要約】
【課題】曲がり癖が生じ難く、膜体の伸縮に対応可能で、横長或いは縦長のスクリーン式パネルの膜体にも対応可能な、さらに自立可能なスタンド構造としても利用可能な、映写投影スクリーン或いは展示パネル、看板シートの膜体張設構造を提供する。
【解決手段】１対のフレーム枠部材３、３´に端部が嵌めこまれたシート状の膜体１をフレーム立て枠部材５、５´で張設したものであって、一辺が他辺より充分に長い場合、膜体張設をより確実にするため、図示するように第１区間と第２区間に分けて、それぞれ、区間ごとに１対の１対のフレーム立て枠部材５、５´を構成し、それぞれ起立させて膜体１を張設したことを特徴とする膜体張設構造１００。前記フレーム枠部材３及びフレーム立て枠部材５は略半円形状の断面とされており、折りたたまれたとき円筒状となり、膜体の巻き取り収納において折り目癖を防止することを特徴とする。
【選択図】図１
0003099301.tif 000002
【実用新案登録請求の範囲】
【請求項１】
　スクリーン用或は展示用を少なくとも含む膜体の両端に、それぞれ直線的剛性を持たせた細長部材を装着し、それら平行の細長部材に対し垂直方向へ前記膜体を張設するため、一対のフレーム枠部材の正面側に形成した嵌合溝条にそれぞれ前記細長部材を装着した膜体張設構造であって、
　前記各フレーム枠部材は前記正面側が半円周或いはそれ以上の円周となる、略半円状或いはそれ以上の円状に形成された第１の外周断面を有して、前記嵌合溝条はその半円周或いはそれ以上の円周の部分に円中心軸と平行に設けられ、
　さらに、各フレーム枠部材はその背面側に、一対のフレーム枠部材の互いに反対側の端部近傍に、膜体張設用のフレーム立て枠部材の一端を枢支し支点として回転させるための枢支部材及び、
　対向するフレーム枠部材に設けられ、起立されたフレーム立て枠部材の自由端を系止するための係合部材とが設けられ、
　前記フレーム立て枠部材は、未使用時には前記フレーム枠部材の背面側で、前記枢支部材により回転し、前記中心軸に沿って折畳まれ、且つそれら２つの部材の折畳状態の外周断面が円形状を形成するように、背面側が半円周或いはそれ以上の円周となる略半円状或いはそれ以上の円状に形成された第２の外周断面を有し、
　また、そのフレーム立て枠部材は使用時には、それぞれのフレーム枠部材に対して前記枢支部材により回転し、垂直に起立し、そのフレーム立て枠部材の自由端は、それぞれ対向するフレーム枠部材の位置に予め配設された前記係合部材により系止された構造からなり、
　保管・携帯時には、前記膜体は折畳まれた外周円形のフレーム枠部材に巻き付けられ、折り目癖が生じ難い構造であることを特徴とする膜体張設構造。
【請求項２】
　スクリーン用或は展示用を少なくとも含む膜体の両端に、それぞれ直線的剛性を持たせた細長部材を装着し、それら平行の細長部材に対し垂直方向へ前記膜体を張設するため、一対のフレーム枠部材の正面側にそれぞれ形成した嵌合溝条にそれぞれ前記細長部材を装着した膜体張設構造であって、
　前記各フレーム枠部材は前記正面側が半円周或いはそれ以上の円周となる、略半円状或いはそれ以上の円状に形成された第１の外周断面を有して、前記嵌合溝条はその半円周或いはそれ以上の円周の部分に円中心軸と平行に設けられ、
　前記フレーム枠部材は、その一端から任意の間隔長で複数ｎ区間に分け、またそれと対をなすフレーム枠部材に対しても、その一端から前記間隔長に合せて同様に複数ｎ区間に分け、前記一対のフレーム枠部材は、連続した複数ｎ対区間に分けられ、
　そのフレーム枠部材の背面側に、それぞれの複数ｎ対の区間毎に、各区間毎のフレーム枠部材の互いに反対側の端部近傍に膜体張設用のフレーム立て枠部材の一端を枢支し、支点として回転させるための枢支部材及び、
　対向するフレーム枠部材に設けられ、起立されたフレーム立て枠部材の自由端を系止するための係合部材とが各区間毎に設けられ、
　前記フレーム立て枠部材は、未使用時には各区間毎の前記フレーム枠部材の背面側で、前記枢支部材により回転し、前記中心軸に沿って折畳まれ、且つそれら２つの部材の折畳状態の外周断面が円形状を形成するように、背面側が半円周或いはそれ以上の円周となる略半円状或いはそれ以上の円状に形成された第２の外周断面を有し、
　また、そのフレーム立て枠部材は使用時には、各区間毎にそれぞれのフレーム枠部材に対して前記枢支部材により回転し、垂直に起立し、そのフレーム立て枠部材の自由端は、それぞれ対向するフレーム枠部材の位置に予め配設された前記係合部材により系止された構造からなり、
　保管・携帯時には、前記膜体は折畳まれた外周円形のフレーム枠部材に巻き付けられ、折り目癖が生じ難い構造であることを特徴とする膜体張設構造。
【請求項３】
　前記フレーム立て枠部材は、その自由端部分にフレーム立て枠を長伸させる長伸機構を結合するための結合用凹部を備え、
　前記長伸機構は、前記結合用凹部に挿入して結合する結合用突起部と、フレーム立て枠部材の長手方向に移動可能な拡張部材と、その拡張部材を非可逆的に拡張方向へ移動させるウォームギアと、そのウォームギアを回転させる回軸金具からなることを特徴とする請求項１又は２記載の膜体張設構造。
【請求項４】
　前記フレーム立て枠部材は、その自由端部分にフレーム立て枠を長伸させる長伸機構を結合するための結合用凹部を備え、
　前記長伸機構は、前記結合用凹部に挿入して結合する結合用突起部と、フレーム立て枠部材の長手方向に移動可能な拡張部材と、その拡張部材を拡張させる方向へ圧力を加えるバネ材とからなることを特徴とする請求項１又は２記載の膜体張設構造。
【請求項５】
　前記１対のフレーム枠部材を縦置きにして、各部材の下側に所定長だけ膜体を備えない部分を設け、それらフレーム枠部材下端部にネジ留めして固定され、その１対のフレーム枠部材を自立可能とするスタンド部材を備えることを特徴とする請求項１又は２記載の膜体張設構造。
【請求項６】
　前記膜体が張設されて１対のフレーム枠部材を複数組縦置きにして、各部材の上側／又は下側の位置でそれらの１本のフレーム枠部材と他の組の隣接する１本のフレーム枠部材とを結合シートで接続できるように、各フレーム枠部材の上端及び／又は下端部に前記結合シートの両端部をネジ止するネジ穴を設けた結合シート固定部材をそれぞれ備えることを特徴とする請求項１又は２記載の膜体張設構造。
【請求項７】
　前記細長部材が装着された水平方向の膜体両端縁部に対して、垂直方向の膜体両端縁部の同一相対位置に少なくとも一対の幕端穴部を設けて、その少なくとも一対の幕端穴部により、それぞれの縁部の幕体水平方向の外側に向かって、その幕体を張設する水平方向幕体張設構造をさらに備えることを特徴とする請求項１又は２記載の幕体張設構造。
【請求項８】
　前記水平方向幕体張設構造は、前記幕端穴部に突起取付金具の突起部を幕体の表側からその穴部に通し、さらに受孔取付金具の受孔部を通してネジ留めする一対のブッシュ式取付金具が設けられ、
　また、前記フレーム立て枠部材の使用時に前記幕端穴部への最少距離に位置して両側にあるそれぞれのフレーム立て枠部材には、その枠部材を貫通させて長さ方向の枠軸に沿って移動自在に形成された少なくとも一個の枠移動金具が設けられ、
　さらに、前記受孔取付金具には、水平方向に幕体を張設するための突張棒先端を受ける突張棒受孔が設けられ、
　一方前記枠移動金具には、前記突張棒の他端である終端を押しネジにより水平方向へ移動させる突張棒押孔が設けられ、
　前記受孔取付金具の突張棒受孔毎に前記突張棒先端を挿入し、前記フレーム立て枠部材の枠移動金具を移動させて前記突張棒の後端を突張棒押孔に挿入して突張棒が水平方向となる状態で前記押しネジにより、それぞれの前記幕端穴部が幕体水平方向外側に押される機構を備えた構造であることを特徴とする請求項７記載の幕体張設構造。
【考案の詳細な説明】
【技術分野】
【０００１】
　本考案は、映写投影スクリーン或いは展示パネル・看板として使用するシートなどの膜体を枠に巻いて収納できる膜体の張設構造に関する。
【背景技術】
【０００２】
　従来、プロジェクターなどの投影スクリーンについては、収納筒に巻き付けて収納し、使用都度収納筒の重量で下方に引張る構造が用いられていた。この構造では長期間格納するとシート部材に曲がり癖が生じ、スクリーンが十分に張設されず、平面とならない欠点があった。この解決のため、スクリーンの上下を立て枠部材で張設する構造の考案が提案されている（特許文献１）。
【０００３】
　図１２に特許文献１のスクリーン張設構造を示す。図１２に示すスクリーン張設構造は、フレーム枠部材３、３´の背面に互いに反対側の端部近傍に枢支部材４を設け、ここにアルミ合金などで形成されたフレーム立て枠部材５、５´の一端の回転軸５ａを枢支し、且つ、該フレーム立て枠部材５、５´を前記フレーム枠部材３、３´の背面に沿って、その長手方向に折りたたみ収納するように構成されている。使用する際には、前記フレーム立て枠部材５、５´を起立させて、反対側の各フレーム枠部材の端部近傍の係合部６、６´にフレーム立て枠部材５、５´の自由端を係止させ、スクリーンや展示用のシートなどの膜体１を張設するものである。
【０００４】
　しかし、膜体１の部材の寸法は、製造時と使用時の温度変化による伸縮や、張設の度に膜体１に延びが生じ、張設がゆるむ問題があった。また、収納時にフレーム枠部材３に膜体１を巻きつけておくと、フレーム枠部材３の角に沿って膜体１（シート１）に折り目が生じる問題があった。
【０００５】
　また、このようなスクリーンは、持ち運びに便利なことから、展示パネルや、屋内屋外の臨時看板として使用することが求められていたが、立て看板として使用するには所望の長さのスクリーンを張設するのは難しかった。また、展示パネルとして壁或いは立ち木などに立てかけて自立させることができない問題があった。
【０００６】
【特許文献１】実用新案登録第３０８６７２２号公報（第２、３、４頁、第１、２、３、４図）
【考案の開示】
【考案が解決しようとする課題】
【０００７】
　本考案は前述の問題点に鑑みてなされたもので、映写投影スクリーン或いは展示パネル、看板シートなどの膜体を収納保存或いは梱包携帯のために巻き付ける膜体張設用フレーム枠部材の外周形状をフレーム立て枠部材も含めて円形とする構造とし、膜体を巻きつけた状態で収納或いは携帯されることによる膜体部分の折り目癖が生じ難くする張設構造を提供することが主要な課題である。
【０００８】
　また、膜体の伸縮に対応可能な、フレーム枠部材の伸長機構を付加する張設構造の提供を行う。さらに、横長或いは縦長のスクリーン式パネルの膜体にも対応可能な張設構造の提供を行う。またさらに、以上の膜体張設構造が縦置きの場合に自立可能なスタンド構造、或いはその縦置き膜体張設構造を複数組使用して、それらを結合したスタンド式構造を提供することを目的とする。
【０００９】
　さらに、張設構造は幕体のフレーム枠部材に対して垂直方向だけでなく水平方向にも張設する構造を提供することを目的とする。
【課題を解決するための手段】
【００１０】
　前記課題を解決するため、本考案の膜体張設構造は、スクリーン用或は展示用を少なくとも含む膜体の両端に、それぞれ直線的剛性を持たせた細長部材を装着し、それら平行の細長部材に対し垂直方向へ前記膜体を張設するため、一対のフレーム枠部材の正面側に形成した嵌合溝条にそれぞれ前記細長部材を装着した膜体張設構造であって、
　前記各フレーム枠部材は前記正面側が半円周或いはそれ以上の円周となる、略半円状或いはそれ以上の円状に形成された第１の外周断面を有して、前記嵌合溝条はその半円周或いはそれ以上の円周の部分に円中心軸と平行に設けられ、
　さらに、各フレーム枠部材はその背面側に、一対のフレーム枠部材の互いに反対側の端部近傍に、膜体張設用のフレーム立て枠部材の一端を枢支し支点として回転させるための枢支部材及び、
　対向するフレーム枠部材に設けられ、起立されたフレーム立て枠部材の自由端を系止するための係合部材とが設けられ、
　前記フレーム立て枠部材は、未使用時には前記フレーム枠部材の背面側で、前記枢支部材により回転し、前記中心軸に沿って折畳まれ、且つそれら２つの部材の折畳状態の外周断面が円形状を形成するように、背面側が半円周或いはそれ以上の円周となる略半円状或いはそれ以上の円状に形成された第２の外周断面を有し、
　また、そのフレーム立て枠部材は使用時には、それぞれのフレーム枠部材に対して前記枢支部材により回転し、垂直に起立し、そのフレーム立て枠部材の自由端は、それぞれ対向するフレーム枠部材の位置に予め配設された前記係合部材により系止された構造からなり、
　保管・携帯時には、前記膜体は折畳まれた外周円形のフレーム枠部材に巻き付けられ、折り目癖が生じ難い構造であることを特徴とする。
【００１１】
　また、スクリーン用或は展示用を少なくとも含む膜体の両端に、それぞれ直線的剛性を持たせた細長部材を装着し、それら平行の細長部材に対し垂直方向へ前記膜体を張設するため、一対のフレーム枠部材の正面側にそれぞれ形成した嵌合溝条にそれぞれ前記細長部材を装着した膜体張設構造であって、
　前記各フレーム枠部材は前記正面側が半円周或いはそれ以上の円周となる、略半円状或いはそれ以上の円状に形成された第１の外周断面を有して、前記嵌合溝条はその半円周或いはそれ以上の円周の部分に円中心軸と平行に設けられ、
　前記フレーム枠部材は、その一端から任意の間隔長で複数ｎ区間に分け、またそれと対をなすフレーム枠部材に対しても、その一端から前記間隔長に合せて同様に複数ｎ区間に分け、前記一対のフレーム枠部材は、連続した複数ｎ対区間に分けられ、
　そのフレーム枠部材の背面側に、それぞれの複数ｎ対の区間毎に、各区間毎のフレーム枠部材の互いに反対側の端部近傍に膜体張設用のフレーム立て枠部材の一端を枢支し、支点として回転させるための枢支部材及び、
　対向するフレーム枠部材に設けられ、起立されたフレーム立て枠部材の自由端を系止するための係合部材とが各区間毎に設けられ、
　前記フレーム立て枠部材は、未使用時には各区間毎の前記フレーム枠部材の背面側で、前記枢支部材により回転し、前記中心軸に沿って折畳まれ、且つそれら２つの部材の折畳状態の外周断面が円形状を形成するように、背面側が半円周或いはそれ以上の円周となる略半円状或いはそれ以上の円状に形成された第２の外周断面を有し、
　また、そのフレーム立て枠部材は使用時には、各区間毎にそれぞれのフレーム枠部材に対して前記枢支部材により回転し、垂直に起立し、そのフレーム立て枠部材の自由端は、それぞれ対向するフレーム枠部材の位置に予め配設された前記係合部材により系止された構造からなり、
　保管・携帯時には、前記膜体は折畳まれた外周円形のフレーム枠部材に巻き付けられ、折り目癖が生じ難い構造であることを特徴とする。
【００１２】
　また、前記フレーム立て枠部材は、その自由端部分にフレーム立て枠を長伸させる長伸機構を結合するための結合用凹部を備え、
　前記長伸機構は、前記結合用凹部に挿入して結合する結合用突起部と、フレーム立て枠部材の長手方向に移動可能な拡張部材と、その拡張部材を非可逆的に拡張方向へ移動させるウォームギアと、そのウォームギアを回転させる回軸金具からなることを特徴とする。
【００１３】
　また、前記フレーム立て枠部材は、その自由端部分にフレーム立て枠を長伸させる長伸機構を結合するための結合用凹部を備え、
　前記長伸機構は、前記結合用凹部に挿入して結合する結合用突起部と、フレーム立て枠部材の長手方向に移動可能な拡張部材と、その拡張部材を拡張させる方向へ圧力を加えるバネ材とからなることを特徴とする。
【００１４】
　また、前記１対のフレーム枠部材を縦置きにして、各部材の下側に所定長だけ膜体を備えない部分を設け、それらフレーム枠部材下端部にネジ留めして固定され、その１対のフレーム枠部材を自立可能とするスタンド部材を備えることを特徴とする。
【００１５】
　また、前記膜体が張設されて１対のフレーム枠部材を複数組縦置きにして、各部材の上側／又は下側の位置でそれらの１本のフレーム枠部材と他の組の隣接する１本のフレーム枠部材とを結合シートで接続できるように、各フレーム枠部材の上端及び／又は下端部に前記結合シートの両端部をネジ止するネジ穴を設けた結合シート固定部材をそれぞれ備えることを特徴とする。
【００１６】
　また、前記細長部材が装着された水平方向の膜体両端縁部に対して、垂直方向の膜体両端縁部の同一相対位置に少なくとも一対の幕端穴部を設けて、その少なくとも一対の幕端穴部により、それぞれの縁部の幕体水平方向の外側に向かって、その幕体を張設する水平方向幕体張設構造をさらに備えることを特徴とする。
【００１７】
　また、前記水平方向幕体張設構造は、前記幕端穴部に突起取付金具の突起部を幕体の表側からその穴部に通し、さらに受孔取付金具の受孔部を通してネジ留めする一対のブッシュ式取付金具が設けられ、
　また、前記フレーム立て枠部材の使用時に前記幕端穴部への最少距離に位置して両側にあるそれぞれのフレーム立て枠部材には、その枠部材を貫通させて長さ方向の枠軸に沿って移動自在に形成された少なくとも一個の枠移動金具が設けられ、
　さらに、前記受孔取付金具には、水平方向に幕体を張設するための突張棒先端を受ける突張棒受孔が設けられ、
　一方前記枠移動金具には、前記突張棒の他端である終端を押しネジにより水平方向へ移動させる突張棒押孔が設けられ、
　前記受孔取付金具の突張棒受孔毎に前記突張棒先端を挿入し、前記フレーム立て枠部材の枠移動金具を移動させて前記突張棒の後端を突張棒押孔に挿入して突張棒が水平方向となる状態で前記押しネジにより、それぞれの前記幕端穴部が幕体水平方向外側に押される機構を備えた構造であることを特徴とする。
【考案の効果】
【００１８】
　本考案の膜体張設構造によれば以下に示す効果を呈する。すなわち、膜体の両端を支持して広げる１対のフレーム枠部材に対し、その膜体を張設するフレーム立て枠部材を未使用時に折りたたんだとき、外周断面が円形状（円筒）に形成されるので、膜体を収納・保存或いは梱包・携帯しても折り目皺などの癖を生じさせることがなくなる。
【００１９】
　また、フレーム立て枠部材に、伸長機構を付加することにより、膜体を緩みなく調節することができる。このため、気温の変化による張設不完全や、経時変化による膜体の伸びに対しても対応することができる。さらに、フレーム枠部材に対して水平方向だけでなく、垂直方向への張設機構を備え、幕体を水平・垂直の両面で張設して、しわ、ゆがみの無い面を形成させることができる。
【００２０】
　また、複数区間ごとに、フレーム立て枠部材を配置することにより、一方の辺が長い膜体であっても、均一に膜体を張設することができる。このため、横長スクリーンのみならず、長大な展示パネル・看板として利用することができる。
【００２１】
　また、スタンド部材を取り付けることにより、縦置き自立構造とすることができる。さらに、複数組の膜体張設構造を結合させることにより、自立型とすることができる。このため、展示会などの立設パネルとして利用すれば、搬入及び会期終了後の撤去が容易な展示パネルを提供することができる。
【考案を実施するための最良の形態】
【００２２】
　以下、図に基づいて本考案の実施の形態を詳細に説明する。
【実施例１】
【００２３】
　図１は本考案の膜体張設構造１００を示し、張設後の背面側を示す図である。
【００２４】
　ここで、１はスクリーン用或いは展示パネル・看板などのシート状の膜体、３、３´は１対のフレーム枠部材を示す。
【００２５】
　膜体１の正面側は図１では紙面の裏側であり、膜体１の両端に装着されている直線的剛性を持たせた細長部材２、２´がフレーム枠部材３，３´の嵌合溝条３ｍ、３ｍ´に挿入されている状態は見えない。
【００２６】
　尚、図３には、嵌合溝条３ｍ、３ｍ´に挿入されている細長部材２、２´が図示されている。
【００２７】
　５、５´は、膜体１を張設するための１対のフレーム立て枠部材である。
【００２８】
　本考案の図１の実施例は、膜体の長方形の一辺が他辺より充分に長い場合、膜体張設をより確実にするため、図示するように第１区間と第２区間に分けて、それぞれ、区間ごとに１対のフレーム立て枠部材５、５´を構成し、それぞれ起立させて膜体１を張設した実施の形態である。
【００２９】
　４、４´は、フレーム立て枠部材５、５´の回転軸支点端５ａをフレーム枠部材３、３´との間に挟んで支持するための枢支部材である。
【００３０】
　枢支部材４、４´は、フレーム枠部材３、３´のネジ受け３ｘ、３ｘ´に対してフレーム立て枠部材５、５´の回転軸支点端５ａを挟んでネジ９によりネジ留めされる。その状態は図３（ｃ）に図示されている。
【００３１】
　６、６´は、フレーム立て枠部材５、５´の自由端５ｂをフレーム枠部材３、３´との間に挟んで停止させるための係合部材である。
【００３２】
　その係合部材６、６´は、フレーム枠部材３、３´のネジ受け３ｘ、３ｘ´に対してフレーム立て枠部材５、５´の自由端５ｂを挟んでネジ９によりネジ留めされる。その状態は図３（ｃ）に図示されている。
【００３３】
　そのフレーム立て枠部材５、５´の断面Ｚ−Ｚが図１の右下に図示する。なお、図１のＸ−Ｘ断面は図３（ｃ）に示す。又、図３（ｃ）に示すフレーム立て枠部材５、５´は外周面を図示している。
【００３４】
　これまで、図１に基づき張設後の膜体張設構造を説明してきたが、次に、図２に基づき、フレーム立て枠部材による張設前の膜体張設構造１００について説明する。図２は、フレーム立て枠部材５、５´をフレーム枠部材３、３´の背面側に並行させて折りたたんだ未使用時の状態から膜体の張設状態にする際の様子であって、枢支部材４、４´に挟まれたフレーム立て枠部材５、５´を回転支軸５ａを支点として自由端５ｂを係合部材６、６´から引き離している状態を示している。尚、未使用時の最初の状態のＸ−Ｘ断面を図３（ａ）に示している。
【００３５】
　図３（ａ）に示す未使用状態において、保管・梱包或いは携帯・移送のため、第１の断面を有する略半円形のフレーム枠部材３、３´にそれぞれ第２の断面を有する略半円形のフレーム枠部材５、５´が折りたたまれて、それらの合体した外周形状が円形となり、その円形外周に膜体１が巻かれている状態を図３（ｄ）に示す。
【００３６】
　図４には、その合体する外周形状が円形となることを示す拡大図を示す。
【００３７】
　このような構造により、膜体１に折り目癖を起こすことなく、コンパクトに巻きつけ収納することができる。また、膜体１を痛めることなく、容易に梱包することができる。
【００３８】
　図１、図２では、横長の膜体１の場合の実施の形態を示して説明したが、本発明について、区間を分けない、すなわち全体を１区間としてフレーム立て枠部材を１対とする場合でもよいことは勿論である。
【実施例２】
【００３９】
　図５は、フレーム立て枠部材５、５´の長伸機構２０を示す図である。膜体１は製造時の温度によりある程度の伸縮は避けられず、厳密な寸法に仕上げることが難しい。また、経年変化や、張設の使用回数によりその長さが伸びる場合がある。その変化によりフレーム立て枠の長さが不足して膜体が緩んだ状態となることがある。そのような、膜体の伸縮に対応できるフレーム立て枠部材の伸長機構を示す。
【００４０】
　フレーム立て枠部材５，５´の自由端側には、結合用凹部２２を設け、一方、長伸機構２０は、前記結合用凹部２２に挿入して接続させることができる結合用突起部２１と、フレーム立て枠部材５、５´の長手方向移動可能な拡張部材２３と、その拡張部材２３を非可逆的に拡張方向へ移動させる偏芯ウォームギア２４と、その偏芯ウォームギア２４を回転させる回転金具２９とからなる。
【００４１】
　ネジ９は、係合部材６、６´からこの孔部２５を通してネジ受け部３ｘ、３ｘ´へ固定する。回転金具２９を偏芯ウォームギア２４に差し込み回転させれば、偏芯ウォームギア２４により拡張部材２３が押出されてフレーム立て枠部材が長伸し、膜体１がより張られて調節される。
【実施例３】
【００４２】
　図６は、フレーム立て枠部材５、５´の別の実施の形態の長伸機構３０を示す。結合用凹部２２及び結合用突起部２１は、図５の長伸機構２０と同じ構造である。長伸機構３０は、結合用突起部２１とフレーム立て枠部材５の長手方向に移動可能な拡張部材３３と、その拡張部材３３を拡張させる方向へ圧力を加えるバネ材３４とから構成されている。拡張部材３３には、ネジ９を通してネジ受け部３ｘ、３ｘ´へ固定するための孔部３５がある。
【実施例４】
【００４３】
　図７は、前記１対のフレーム枠部材５、５´を縦置きして、展示パネル或いは看板として使用できるように、各フレーム枠部材の下側に所定長だけ膜体１を備えない部分を設け、それらのフレーム枠部材の下端部に、スタンド部材７０をネジ留めして固定し、１対のフレーム枠部材５、５´を自立可能としたものである。
【実施例５】
【００４４】
　図８は、膜体１が調節された１対のフレーム枠部材３、３´を複数組縦置きにして、各部材３、３´の上部の位置で、それらの１本のフレーム枠部材３と他の組の隣接するフレーム枠部材３´と結合シート９０によって結合させるための結合シート固定部材９９、９９が備えられている。
【００４５】
　フレーム枠部材３、３´に結合シート固定部材９９、９９が装着されたときの外周断面は円形となるように構成されている。
【００４６】
　一方、各部材３、３´の下側にも、上側と同様の構造で結合シートで隣接部材３、３を結合させてもよいが、図８に示すように、それぞれの対のフレーム枠部材３、３´を結合シート８０により結合シート固定部材８９、８９を使用して接続してもよい。この場合は、図８に示すように、膜体１が上側にあり、下側には膜体１がない自立スタンド式に都合がよい。
【００４７】
　図８は、４組のフレーム枠部材３、３´の実施例を示したが、２組或いは３組を角度（３０〜１５０度）をつけて結合させれば自立させることができる。
【実施例６】
【００４８】
　図９は、本発明の垂直及び水平方向幕体張設構造２００の一実施例を示す。図１の幕体張設構造１００は垂直方向のみの幕体張設構造であるが図９は、さらに水平方向の幕体張設機構を備えた構造である。図１０及び図１１はその気後部の詳細な構造の説明図である。図９乃至１０において図１と同じ符号は同機能として説明を省略する。
【００４９】
　ここで、５ｘ、５ｘ´は枠移動金具であり、それぞれフレーム立て枠部材５、５´を図２に示すようにその回転軸支点端５ａを少し回転させておき、そのフレーム立て枠部材自由端５ｂから５ｘ、５ｘ´の中心穴部にフレーム立て枠部材５、５´を貫通させて使用できるようにする。この実施の形態では２箇所に枠移動金具５ｘを配置したが、フレーム立て枠部材５の長さに応じて複数個設けてよい。
【００５０】
　また、５ｙ、５ｙ´は突張棒を示し、５ｗ、５ｗ´は、その突張棒５ｙ、５ｙ´に水平方向の突張り圧力を加えるため、その一端（以後後端と呼ぶ）をスライド自在に支持する突張棒押孔である。
【００５１】
　５ｚ、５ｚ´は、押しネジであり、この押しネジ５ｚ、５ｚ´により図１１に示すように突張棒５ｙ、５ｙ´を押し出し、その突張棒５ｙ、５ｙ´の先端が挿入された受孔取付金具１０ｂの突張棒受孔１０ｄを押して、幕体１の幕端穴部を外側に拡げることによって幕体１を水平方向へ張設する。
【００５２】
　尚、個々で、フレーム立て枠部材５、５´の第２の外周断面は図１０、図１１に示してあるように略１／４円状を示し、又、このフレーム立て枠部材５、５´が折り畳まれ、且つ、その折り畳み状態におけるそれら２つの部材３（３´）、５（５´）の外周断面が円形状に形成するように構成されている。すなわち、図９乃至図１１の実施の形態ではフレーム枠部材３、３´の第１の外周断面は略３／４円状である。
【００５３】
　以下、幕体１を垂直及び水平方向に張設する機構を詳細に説明する。図９に示すように、最初にフレーム枠部材３、３´をそれぞれ枢支部材４、４´により支持されたフレーム立て枠回転軸支点端５ａを支点としてフレーム立て枠自由端５ｂを係合部材６、６´へ係合させて幕体１の垂直方向の張設を行う。
【００５４】
　次に、図１０に示すように、幕体１の表側から突起取付金具１０ａの突起部を幕端穴部１ａに挿入し、さらに、その幕体１の裏側に配置した受孔部へ挿入し、ネジ１０ｃで固定し、ブッシュ式取付金具１０を形成する。図１０では、４箇所にその取付状態を示す。
【００５５】
　垂直方向張設を行う前に、既に、フレーム立て枠部材５、５´に１／４円状の穴部を有する枠移動金具５ｘ、５ｘ´がそれぞれ２個づつ挿入されているが、それぞれの枠移動金具５ｘ、５ｘ´を移動させて、４つのブッシュ式取付金具１０と水平位置になるように対応させる。
【００５６】
　そこで、それぞれの間に突張棒５ｙ、５ｙ´を対向する突張棒受孔１０ｄと突張棒押孔５ｗ、５ｗ´の間に装着する。次に、４ヶ所で水平方向に突っ張り幕体１の水平方向の張設が行われる。
【図面の簡単な説明】
【００５７】
【図１】本考案の膜体張設構造の張設状態の斜視図である。
【図２】本考案の膜体張設構造の張設途中の斜視図である。
【図３】本考案の膜体張設構造の断面図で、（ａ）は、張設前の図１のＸ−Ｘ断面図、（ｂ）は張設後のＸ−Ｘ断面図、（ｃ）は、張設後のＹ−Ｙ断面図、（ｄ）は、膜体が巻かれた状態の断面図である。
【図４】フレーム枠部材及びそれと合体する複数のフレーム立て枠部材の拡大断面図である。
【図５】フレーム立て枠部材の長伸機構の１実施の形態の説明図で（ａ）は斜視図、（ｂ）は断面図である。
【図６】フレーム立て枠部材の長伸機構の別の実施の形態の斜視図である。
【図７】本考案のスタンド式膜体張設構造の斜視図である。
【図８】本考案の別の実施の形態のスタンド式膜体張設構造の斜視図である。
【図９】垂直及び水平方向幕体張設構造を示し斜視図である。
【図１０】ブッシュ式取付金具及び枠移動金具の構成を示す説明図で、（ａ）はブッシュ式取付金具１０の分解斜視図、（ｂ）は枠移動金具５の取付状態の斜視図である。
【図１１】水平方向幕体張設機構の構造断面図である。
【図１２】従来のスクリーン張設構造の説明図である。
【符号の説明】
【００５８】
　　１　　　膜体、スクリーン、シート
　　１ａ　　幕端穴部
　　２、２´　細長部材（膜体端クリップ）
　　３、３´　フレーム枠部材（フロントカバー）
　　３ｍ、３ｍ´　嵌合溝条
　　３ｘ、３ｘ´　ネジ受部
　　４、４´　枢支部材（フレーム立て枠回転軸支部材）
　　５、５´　フレーム立て枠部材（サポートパイプ）
　　５ａ　　フレーム立て枠回転軸支点端
　　５ｂ　　フレーム立て枠自由端
　　５ｗ、５ｗ´　突張棒押孔
　　５ｘ、５ｘ´　枠移動金具
　　５ｙ、５ｙ´　突張棒
　　５ｚ、５ｚ´　押しネジ
　　６、６´　係合部材（フレーム立て枠回転自由端係止部）
　　９　　　ネジ
　１０　　　ブッシュ式取付金具
　１０ａ　　突起取付金具
　１０ｂ　　受孔取付金具
　１０ｃ　　ネジ
　１０ｄ　　突張棒受孔
　１１　　　端部取付片
　２０　　　フレーム立て枠部材長伸機構
　２１　　　結合用突起部
　２２　　　結合用凹部
　２３　　　拡張部材
　２４　　　偏芯ウォームギア
　２９　　　回転部材
　３０　　　フレーム立て枠部材長伸機構
　７０　　スタンド部材
　８０　　上部結合シート（スタンド各隅結合）
　９０　　下部結合シート（スタンド各辺結合）
１００、２００　　膜体張設構造
【図１】
0003099301.tif 000003
【図２】
0003099301.tif 000004
【図３】
0003099301.tif 000005
【図４】
0003099301.tif 000006
【図５】
0003099301.tif 000007
【図６】
0003099301.tif 000008
【図７】
0003099301.tif 000009
【図８】
0003099301.tif 000010
【図９】
0003099301.tif 000011
【図１０】
0003099301.tif 000012
【図１１】
0003099301.tif 000013
【図１２】
0003099301.tif 000014